(57)【特許請求の範囲】
【請求項１】
一側には内側方向に傾斜した楕円形の傾斜面を形成することにより、化粧品が混合される混合部（１１０）が形成され、他側にはボタン嵌合孔（１３０）が垂直に貫通形成され、前記混合部（１１０）の傾斜面上部には一対の化粧品吐出部（１２０、１２０’）が垂直に貫通形成される混合容器（１００）と；
前記ボタン嵌合孔（１３０）に設置され、下部にはスプリング（２１０、２１０’）がそれぞれ設置され、下部へ押圧することにより前記一対の化粧品吐出部（１２０、１２０’）から化粧品を吐出させる一対のボタン（２００、２００’）と；
前記混合容器（１００）の下部に設置される外容器（３００）と；
前記外容器（３００）の内部に設置され、内部にはそれぞれ異種の化粧品が貯蔵され、下部にはそれぞれピストン（４１１、４１１’）が設置される一対のハウジング（４１０、４１０’）と、前記ハウジング（４１０、４１０’）の上部に嵌合され、中心部にはそれぞれ挿入孔（４２１、４２１’）が貫通形成される一対の固定具（４２０、４２０’）と、中心部が前記挿入孔（４２１、４２１’）の直径より太く、垂直に貫通形成されて前記化粧品吐出部（１２０、１２０’）に連結され、下部はそれぞれ前記挿入孔（４２１、４２１’）に挿入される一対のピストンロッド（４３０、４３０’）と、前記固定具（４２０、４２０’）と前記ピストンロッド（４３０、４３０’）の上部の間それぞれに設置される一対の復元スプリング（４４０、４４０’）と、前記ピストンロッド（４３０、４３０’）それぞれの下部に嵌合され、下部には化粧品の圧力によって開放または閉鎖されるチェックバルブ（４５１、４５１’）がそれぞれ設置される一対のディスペンサー（４５０、４５０’）と、を含む一対の保管容器（４００、４００’）と；
前記外容器（３００）の下部に設置されて、前記外容器（３００）の下端を閉鎖する下部容器（５００）と；を含む化粧品容器であって、２つの異種内容物各々の所定量を吐出させることにより、混合部(１１０)で混合して使用することを特徴とする化粧品容器。
【請求項２】
前記化粧品吐出部（１２０、１２０’）の上端には、前記化粧品吐出部（１２０、１２０’）の上部に結合されて、前記化粧品吐出部（１２０、１２０’）から吐出される化粧品が前記混合部（１１０）の傾斜面に沿って吐出されるように案内するラバーチップ（１４０）が備えられることを特徴とする請求項１に記載の化粧品容器。
【請求項３】
前記外容器（３００）の上部に設置され、上部から下方向に固定部（６１０）が延長して形成されて、前記保管容器（４００、４００’）の外周面に結合される固定パネル（６００）をさらに含むことを特徴とする請求項１に記載の化粧品容器。
【発明の詳細な説明】
【技術分野】
【０００１】
本発明は異種内容物を混合して使用する化粧品容器に関し、化粧品容器の上部に内側方向に傾斜面を形成する楕円形の混合部が形成されて、一対の吐出部から吐出される異種の化粧品を所定量吐出するとともに、簡単に混合して使用することができる化粧品容器に関する。
【背景技術】
【０００２】
一般的に、化粧品容器は内容物が収容される本体と、前記本体の上端に結合されて、前記本体に収容された化粧品を外部に吐出する吐出部とで構成される。最近には、生活の質が向上するにつれて、老若男女なく皮膚美容に対する関心が増加し、同時に、使用者により良い皮膚美容効果を提供するための多様な化粧品が開発されており、これとともに、使用者に便宜を提供するために前記化粧品を収容する多様な化粧品容器が発売されている。
【０００３】
しかし、使用者がエッセンス及び水分クリームなどのように、適量を混合して化粧品を使用する時には、手や一般容器にそれぞれの化粧品を吐出して使わなければならないため、それぞれの化粧品を混合して使用することが煩雑であるという問題点があった。
【発明の概要】
【発明が解決しようとする課題】
【０００４】
本発明は上述した問題点を解決するために創出されたもので、化粧品容器の上部に内側方向に傾斜面を形成する楕円形の混合部が形成されて、一対の吐出部から吐出される異種の化粧品を所定量吐出するとともに、簡単に混合して使用することが可能な化粧品容器を提供する。
【課題を解決するための手段】
【０００５】
前記のような問題点を解決するために、本発明による異種内容物を混合して使用する化粧品容器は、一側には内側方向に楕円形傾斜面を形成し、化粧品が混合される混合部が形成され、他側にはボタン結合孔が垂直に貫通して形成され、前記混合部の傾斜面上部には一対の化粧品吐出部が垂直に貫通形成される混合容器と；前記ボタン結合孔に設置され、下部にはスプリングがそれぞれ設置される一対のボタンと；前記混合容器の下部に設置される外容器と；前記外容器の内部に一対が設置され、内部には化粧品が貯蔵され、下部にはピストンが設置されるハウジングと、前記ハウジングの上部に挟まれ、中心部には挿入孔が貫通して形成される固定具と、中心部が前記挿入孔の直径以上に垂直貫通して形成されて前記化粧品吐出部に連結され、下部は前記挿入孔に挿入されるピストンロッドと、前記固定具と前記ピストンロッドの上部の間に設置される復元スプリングと、前記ピストンロッドの下部に挟まれ、下部には化粧品の圧力によって開放または閉鎖されるチェックバルブが設置されるディスペンサーとを含む保管容器と；前記外容器の下部に設置されて、前記外容器の下端を閉鎖する下部容器と；を含むことを特徴とする。
【０００６】
また、前記化粧品吐出部の上端には前記化粧品吐出部の上部に結合されて前記化粧品吐出部から吐出される化粧品が前記混合部の傾斜面に沿って吐出されるように案内するラバーチップが備えられることを特徴とする。
【０００７】
また、前記外容器の上部に設置され、上部から下方向に固定部が延長して形成され、前記保管容器の外周面に結合される固定パネルをさらに含むことを特徴とする。
【発明の効果】
【０００８】
上述したように、本発明によれば、化粧品容器の上部に内側方向に傾斜面を形成する楕円形の混合部が形成されて、一対の吐出部から吐出される異種の化粧品を所定量吐出し、同時に簡単に混合して使用することが可能な長所がある。
【図面の簡単な説明】
【０００９】
【図１】本発明の好ましい実施形態による異種内容物を混合して使用する化粧品容器の斜視図である。
【図２】本発明の好ましい実施形態による異種内容物を混合して使用する化粧品容器の側断面図である。
【図３】本発明の好ましい実施形態による異種内容物を混合して使用する化粧品容器の正断面図である。
【図４】本発明の好ましい実施形態による異種内容物を混合して使用する化粧品容器の使用状態図である。
【発明を実施するための形態】
【００１０】
以下、添付図面を参照して本発明の好ましい実施形態を詳しく説明する。各図面に提示された符号は同じ部材を示す。
【００１１】
図１は本発明の好ましい実施形態による異種内容物を混合して使用する化粧品容器の斜視図を示し、図２は本発明の好ましい実施形態による異種内容物を混合して使用する化粧品容器の側断面図を示し、図３は本発明の好ましい実施形態による異種内容物を混合して使用する化粧品容器の正断面図を示している。
【００１２】
図１〜図３によれば、本発明の好ましい実施形態による異種内容物を混合して使用する化粧品容器は、混合容器１００、ボタン２００、２００’、外容器３００、保管容器４００、下部容器５００を含み、ラバーチップ１４０と固定パネル６００がさらに含まれることができる。
【００１３】
混合容器１００は、一側には内側方向に楕円形の傾斜面が形成される混合部１１０が形成され、他側にはボタン結合孔１３０が垂直に貫通して形成されるもので、使用者が異種の化粧品を吐出した後、使用者は前記混合部１１０で異種の化粧品を混合する。前記混合部１１０は吐出される化粧品が前記混合部１１０の外部に流れない形状であれば何れの形状でも可能であるが、図２に示すように、使用者が指先で異種の化粧品を混合し易いように柔らかい楕円形に形成されることが好ましく、使用しない時には、キャップ１０を前記混合容器１００の上部に結合して保管する。
【００１４】
前記混合部１１０の傾斜面の上部には化粧品吐出部１２０、１２０’が一対が垂直に貫通形成される。また、後述するボタン２００、２００’を加圧すれば、前記化粧品吐出部１２０、１２０’から化粧品が吐出されるが、図４に示すように、前記のように吐出された化粧品は前記混合部１１０の上端に吐出される。従って、使用者は異種の化粧品をそれぞれ吐出した後、前記混合部１１０で異種の化粧品を混合して使用することができることが本発明の最大の特徴であると言える。
【００１５】
また、前記混合容器１００の一側にはボタン結合孔１３０が垂直に貫通形成され、前記ボタン結合孔１３０には後述するボタン２００、２００’がそれぞれ結合されて、ボタン２００、２００’の加圧によって化粧品を外部に吐出する。
【００１６】
一方、前記化粧品吐出部１２０、１２０’の上端にはラバーチップ１４０が嵌合されることが特徴で、前記化粧品吐出部１２０、１２０’から吐出される化粧品が前記混合部１１０の傾斜面に沿って流れるように案内することができる。前記ラバーチップ１４０は軟質の材質に形成されることが好ましく、結合部１４１と蓋部１４２を含む。
【００１７】
前記結合部１４１は前記化粧品吐出部１２０、１２０’に挟まれ、前記結合部１４１の直径は前記化粧品吐出部１２０、１２０’の直径より小さく形成されて、化粧品が前記化粧品吐出部１２０、１２０’の枠部に吐出されるようにすることが好ましい。
【００１８】
また、前記ラバーチップ１４０の上端には蓋部１４２が形成されて、前記化粧品吐出部１２０、１２０’から吐出される化粧品が前記混合部１１０の傾斜面に沿って流れるように案内する。前記蓋部１４２は前記化粧品吐出部１２０、１２０’の直径より大きく形成されて、化粧品が吐出される時に前記混合部１１０の傾斜面に沿って流れるように誘導することが特徴である。
【００１９】
ボタン２００、２００’は前記ボタン結合孔１３０にそれぞれ一対が設置され、使用者は前記ボタン２００、２００’を加圧して化粧品を吐出させる。前記ボタン２００、２００’の下部にはスプリング２１０、２１０’がそれぞれ設置されて、使用者が前記ボタン２００、２００’を加圧してもスプリングの弾性復元力で前記ボタン２００、２００’が上部に復元される。
【００２０】
外容器３００は前記混合容器１００の下部に設置され、内部には後述する保管容器４００、４００’が収容される。前記外容器１００の上部は前記スプリング２１０、２１０’の下端に接触されて、前記ボタン２００、２００’が前記スプリング２１０、２１０’の弾性復元力によって上部に復元されることができるようにする。
【００２１】
一方、前記外容器３００には固定パネル６００が設置されて、後述する保管容器４００、４００’を前記外容器３００の内部に固定させることができる。前記固定パネル６００の直径は前記外容器３００の直径より小さく形成されて、前記外容器３００の外部に突出されないようにすることが好ましく、前記固定パネル６００の下部には固定部６１０が下方向に突出して形成されて、前記外容器３００の外周面に結合される。従って、前記固定パネル６００は後述する保管容器４００、４００’を前記外容器３００の内部に堅固に固定させることが特徴であると言える。
【００２２】
保管容器４００、４００’は前記外容器３００の内部に一対が設置されて、内部に化粧品が保管され、使用者が前記ボタン２００、２００’を下部に加圧すると化粧品が吐出される。前記保管容器４００、４００’は前記外容器３００から解体及び結合可能であるので、化粧品を使い切った場合、いくらでも取り替えて詰め替えることができることが特徴である。前記保管容器４００、４００’はハウジング４１０、４１０’、固定具４２０、４２０’、ピストンロッド４３０、４３０’、復元スプリング４４０、４４０’、ディスペンサー４５０、４５０’が含まれる。
【００２３】
前記ハウジング４１０、４１０’は内部に化粧品が保管される容器である。前記保管容器４００、４００’は内部に各種化粧品（アイクリーム、保湿クリームなど）が収容される。前記保管容器４００、４００’は主にプラスチック系合成樹脂材で製造され、下部にはピストン４１１、４１１’が設置される。前記ピストン４１１、４１１’は使用者が化粧品を使うことで、使われた化粧品の量だけ圧縮されることによって、前記ハウジング４１０、４１０’の上部に上昇する。したがって、使用者は化粧品を使い切るまで化粧品は常に前記ハウジング４１０、４１０’の上部に位置することになる。また、前記ピストン４１１、４１１’は軟質の材質で形成されて、前記ハウジング４１０、４１０’の内部で化粧品が貯蔵される部分を外部空気と遮断することによって、化粧品が貯蔵される部分を常に真空状態に保持させることが好ましい。
【００２４】
前記固定具４２０、４２０’は前記ハウジング４１０、４１０’の上部に挟まれ、中心部には挿入孔４２１、４２１’が垂直に貫通して形成されている。前記固定具４２０、４２０’は前記ハウジング４１０、４１０’の内部に貯蔵された化粧品を密閉し、前記挿入孔４２１、４２１’には後述するピストンロッド４３０、４３０’がそれぞれ挿入される。
【００２５】
前記ピストンロッド４３０、４３０’は前記挿入孔４２１、４２１’に挿入され、前記ピストンロッド４３０、４３０’中心部の直径は前記ハウジング４１０、４１０’の内部に貯蔵された化粧品が排出されないように前記挿入孔４２１、４２１の直径と同一に形成される。前記ピストンロッド４３０、４３０’上部の直径は前記挿入孔４２１、４２１’の直径以上に形成されて、前記ピストンロッド４３０、４３０’が前記挿入孔４２１、４２１’を貫通して前記ハウジング４１０、４１０’の内部に離脱されることを防止する。
【００２６】
前記復元スプリング４４０、４４０’は前記固定具４２０、４２０’と前記ピストンロッド４３０、４３０’との間に設置される。前記復元スプリング４４０、４４０’は前記固定具４２０、４２０’が後述するボタン４３０、４３０’によって上部に加圧された後に前記固定具４２０、４２０’をスプリングの弾性復元力によって復元させる。
【００２７】
ディスペンサー４５０、４５０’は前記ピストンロッド４３０、４３０’の下部に挟まれて、前記挿入孔４２１、４２１’の直径より大きく形成されることが好ましい。また、前記ディスペンサー４５０、４５０’は前記ピストンロッド４３０、４３０’が前記挿入孔４２１、４２１’の上部に離脱されることを防止する。また、前記ディスペンサー４５０、４５０’の下部にはチェックバルブ４５１、４５１が設置されて、前記チェックバルブ４５１、４５１’に圧力が加えられると、化粧品が前記ディスペンサー４５０、４５０’の内部に流入される。前記のように流入された化粧品は前記ピストンロッド４３０、４３０’の中心部を経って前記化粧品吐出部１２０、１２０’を通じて前記混合部１１０に吐出される。
【００２８】
下部容器５００は前記外容器３００の下部に設置され、前記外容器３００の下端を閉鎖する。前記下部容器５００の上端には前記保管容器４００、４００’がそれぞれ載置されることができるように前記保管容器４００、４００’の外径に相応する固定部が突出して形成された方が良い。
【００２９】
以上で、図面と明細書に最適な実施形態が開示された。ここで、特定の用語が用いられているが、これはただ本発明を説明するための目的で用いられたものであり、意味の限定や特許請求の範囲に記載された本発明の範囲を制限するために用いたのではない。そこで、当該技術分野における通常の知識を有する者であれば、今後多様な変形及び均等な他の実施形態が可能であるという点を理解すべきである。従って、本発明の真の技術保護範囲は添付された特許請求の範囲の技術思想によって決めるべきである。
【図１】
0005686102.tif 000002
【図２】
0005686102.tif 000003
【図３】
0005686102.tif 000004
【図４】
0005686102.tif 000005